(57)【要約】【課題】転送速度を高めることができる光情報記録方法、光情報記録媒体および光情報再生方法を提供すること。【解決手段】トラックの一つＴｍを位置決めの基準として、一連の情報を担持した複数の情報光によって形成された複数の干渉縞Ｈ（ｍ、１）、Ｈ（ｍ、２）…Ｈ（ｍ、ｎ）をホログラム記録層１６に基準としたトラックに沿って記録し、複数の干渉縞に関する情報の少なくとも一部を制御情報層１２において、基準としたトラックを含み、他の干渉縞の基準となる他のトラックまでの領域１２ａに記録する。【選択図】図１
2007199227.tif 000002
【特許請求の範囲】
【請求項１】
干渉縞の記録方向に対して直交する断面において複数のトラックを有し、干渉縞を記録するホログラム記録層と制御情報層とが重畳して設けられた光情報記録媒体に対し、情報を担持した情報光と参照光とを照射して、前記情報光と前記参照光とによって形成された干渉縞を前記ホログラム記録層に記録する光情報記録方法であって、
前記トラックの一つを位置決めの基準として、一連の情報を担持した複数の情報光によって形成された複数の干渉縞を前記ホログラム記録層に前記基準としたトラックに沿って記録し、
前記複数の干渉縞に関する情報の少なくとも一部を前記制御情報層において、前記基準としたトラックを含み、他の干渉縞の基準となる他のトラックまでの領域に記録することを特徴とする光情報記録方法。
【請求項２】
前記複数の干渉縞を前記ホログラム記録層に記録する際に、予め前記基準としたトラックにおける所定の記録領域を確保し、当該記録領域内に、干渉縞の記録に不具合が生じた場合に干渉縞を記録するリアサイン領域を設けることを特徴とする請求項１に記載の光情報記録方法。
【請求項３】
前記複数の干渉縞に関する情報の少なくとも一部には、記録時に不具合が生じて再度記録位置が振り当てられた干渉縞に関するリアサイン情報が含まれることを特徴とする請求項１または２に記載の光情報記録方法。
【請求項４】
前記複数の干渉縞に関する情報の少なくとも一部には、前記一連の情報へのアクセス権に関する認証情報が含まれることを特徴とする請求項１乃至３の何れか１項に記載の光情報記録方法。
【請求項５】
前記複数の干渉縞に関する情報の少なくとも一部には、前記複数の干渉縞を再生した回数または前記複数の干渉縞の編集情報が含まれることを特徴とする請求項１乃至４の何れか１項に記載の光情報記録方法。
【請求項６】
干渉縞の記録方向に対して直交する断面において複数のトラックを有し、干渉縞を記録するホログラム記録層と、前記ホログラム記録層に重畳して制御情報層とを備え、
前記ホログラム記録層には、一連の情報を担持した複数の情報光と参照光とによって形成された複数の干渉縞が、前記トラックの一つを位置決めの基準として当該基準としたトラックに沿って記録されており、
前記制御情報層には、前記複数の干渉縞に関する情報の少なくとも一部が、前記基準としたトラックを含み、他の干渉縞の基準となる他のトラックまでの領域に記録されていることを特徴とする光情報記録媒体。
【請求項７】
前記複数の干渉縞について、干渉縞の記録に不具合が生じた場合に干渉縞を記録するリアサイン領域が前記基準としたトラックに設けられていることを特徴とする請求項６に記載の光情報記録媒体。
【請求項８】
前記複数の干渉縞に関する情報の少なくとも一部として、記録時に不具合が生じて再度記録位置が振り当てられた干渉縞に関するリアサイン情報が記録されていることを特徴とする請求項６または７に記載の光情報記録媒体。
【請求項９】
前記複数の干渉縞に関する情報の少なくとも一部として、前記一連の情報へのアクセス権に関する認証情報が記録されていることを特徴とする請求項６乃至８の何れか１項に記載の光情報記録媒体。
【請求項１０】
前記複数の干渉縞に関する情報の少なくとも一部として、前記複数の干渉縞を再生した回数または前記複数の干渉縞の編集情報が記録されていることを特徴とする請求項６乃至９の何れか１項に記載の光情報記録媒体。
【請求項１１】
干渉縞の記録方向に対して直交する断面において複数のトラックを有し、干渉縞を記録するホログラム記録層と、前記ホログラム記録層に重畳して制御情報層とを備え、前記ホログラム記録層には、一連の情報を担持した複数の情報光と参照光とによって形成された複数の干渉縞が、前記トラックの一つを位置決めの基準として当該基準としたトラックに沿って記録され、前記制御情報層には、前記複数の干渉縞に関する情報の少なくとも一部が、前記基準としたトラックを含み、他の干渉縞の基準となる他のトラックまでの領域に記録された記録媒体から情報を再生する光情報再生方法であって、
前記制御情報層に記録された前記複数の干渉縞に関する情報を再生し、
再生した干渉縞に関する情報に基づいて、前記ホログラム記録層に記録された前記複数の干渉縞の再生処理を制御することを特徴とする光情報再生方法。
【請求項１２】
前記制御情報層に記録された記録時に不具合が生じて再度記録位置が振り当てられた干渉縞に関するリアサイン情報を再生し、
前記リアサイン情報に基づいて、再度振り当てられた記録位置を特定し、干渉縞を再生することを特徴とする請求項１１に記載の光情報再生方法。
【請求項１３】
前記制御情報層に記録された前記前記一連の情報へのアクセス権に関する認証情報、干渉縞を再生した回数または編集情報を再生し、
前記認証情報、回数または編集情報に基づいて、干渉縞の再生処理を制御することを特徴とする請求項１１または１２に記載の光情報再生方法。
【発明の詳細な説明】
【技術分野】
【０００１】
本発明は、情報を担持した情報光と参照光とによって形成された干渉縞を記録媒体のホログラム記録層に記録する方法、ホログラム記録層に干渉縞が記録された記録媒体およびホログラム記録層に記録された干渉縞を再生する方法に関する。
【背景技術】
【０００２】
ホログラム記録装置は、格子状に配列された多数の画素を有する空間光変調器（ＳＬＭと略すこともある）に２次元のピクセルからなる符号化された画像（以下「ページデータ」と呼ぶ）を表示して、ページデータによって空間的に変調された情報光を生成し、この情報光と記録用参照光とによって形成される干渉縞（ホログラム）を記録媒体のホログラム記録層に記録するものである。そして、記録媒体に記録された干渉縞は、再生用参照光と干渉してページデータを有する再生光を発生し、発生した再生光のページデータは、格子状に配列された多数の画素を有する撮像素子によって検出され、復号されて情報が再生される。このように、ホログラム記録装置においては、記録媒体に記録される記録単位は干渉縞であり、干渉縞を記録および再生すれば、ページデータとして符号化された複数のビット数の情報を一度に記録および再生できる。
【０００３】
非特許文献１には、干渉縞を記録する光情報記録媒体５１として、図６に示す構造が示されている。光情報記録媒体５１は、ディスク基板５２上に、第１のギャップ層５３と、波長選択反射膜５４と、第２のギャップ層５５と、ボリュームホログラフィを利用して干渉縞が記録されるホログラム記録層５６と、カバー層５７とを、この順番で積層して構成されている。さらに、ディスク基板５２の表面にはアドレス情報や位置決めクロック信号などを凹凸（ピット）５８として成形し、反射膜５２ａが形成されている。
【０００４】
この光情報記録媒体５１に対し、サーボ用の赤色レーザ光５９ａと緑色または青紫色の記録再生用レーザ光５９ｂとを照射し、サーボ用の赤色レーザ光５９ａによって、ディスク基板５２表面のピット５８を読み取り、記録再生用レーザ光５９ｂによって、ホログラム記録層５６に干渉縞５６ａを記録またはホログラム記録層５６に記録された干渉縞５６ａを再生していた。
【０００５】
非特許文献１では、このような光情報記録媒体における記録方法として、１２０個のページデータをまとめて１セクションとし、同一トラックに、一定の間隔を空けて１周で１セクション分の干渉縞を記録していく方法が提案されている。さらに、次のセクションについては、記録位置をトラック方向に若干シフトさせて、同一トラックに多重記録していき、１トラック上に１００セクションを記録していた。
【０００６】
【非特許文献１】堀米秀嘉、他４名「離陸間近のホログラフィック媒体２００６年に２００Ｇバイトを実現」、日経エレクトロニクス、２００５年１月１７日号、ｐ．１０５−１１４頁
【発明の開示】
【発明が解決しようとする課題】
【０００７】
ホログラム記録装置において、１セクションのページデータをホログラムとして記録する際に、所定の記録位置において、記録媒体のアドレス情報や位置決めクロック信号が読み取れなかった場合等、ホログラムの記録に不具合が生じた場合（以下、不具合が生じたホログラムを「エラーホログラム」という）、エラーホログラムを別の場所に記録しなければならない。この再度エラーホログラムに対し記録位置を振り当てる処理をリアサイン処理と呼ぶ。
【０００８】
非特許文献１の記録方法は、通常、１セクション単位で記録を行なうものであるが、リアサイン処理については、変則的にホログラム単位で行なわざるを得ない。このため、記録媒体５１に通常の記録領域とは別にホログラム単位で記録するリアサイン領域を設定することが好ましい。この点を図７で説明する。図７（Ａ）および（Ｂ）は、ホログラムの配置を示すための記録媒体６１の平面図である。記録媒体６１は、複数の同心円状のトラックＴ１，Ｔ２…Ｔｍを有している。
【０００９】
図７（Ａ）に示すように、通常の記録処理であれば、１セクション分のホログラムＨ１〜Ｈ１２０は、通常の記録領域６２において、所定の間隔で同一トラックＴｍ上に順番に記録される。図７（Ｂ）に示すように、５番目のホログラムＨ５がエラーホログラム６５であった場合は、通常の記録領域６２には、ホログラムＨ５が欠落した状態で記録され、ホログラムＨ５についてはリアサイン領域６３の位置６３ａに記録されることになる。
【００１０】
しかしながら、図７（Ｂ）のような場合は、１セクション分のホログラムＨ１〜Ｈ１２０を再生するには、通常の記録領域６２においてホログラムＨ１〜Ｈ４までを再生した後に、リアサイン領域６３でホログラムＨ５を再生し、その後、再び通常の記録領域６２においてホログラムＨ６〜Ｈ１２０を再生しなければならなかった。このような再生処理では、情報の転送速度が低下してしまう。
【００１１】
また、再生時において、ホログラムＨ１〜Ｈ１２０の記録されているトラックＴｍやエラーホログラム６５であるホログラムＨ５の記録位置６３ａを特定する必要があるが、従来のホログラフィを利用した光情報記録再生においては、この点について余り議論されていない。従来のＣＤ（Compact Disc）やＤＶＤ（Digital Versatile Disc）においては、ファイルを管理するためのＴＯＣ（Ｔａｂｌｅ  Ｏｆ  Ｃｏｎｔｅｎｔｓ）をリードインと呼ばれる領域（一般的にディスクの内側の領域）に一括して記録しておき、このＴＯＣによって、所望の情報の記録位置についての情報（以下「記録データ位置情報」と呼ぶ）を取得していた。
【００１２】
ホログラフィを利用した光情報記録においても同様の手法を採用すれば、リードイン領域６４において、ホログラムＨ１〜Ｈ１２０の記録されているトラックＴｍ、各ホログラムの位置およびホログラムＨ５の記録位置６３ａを記録することになる。この場合、前述した再生処理において、ホログラムＨ１〜Ｈ４までを再生した後に、ホログラムＨ５の位置６３ａを特定するため、一旦リードイン領域６４に移動してホログラムＨ５の記録位置６３ａを読み取る必要があり、さらに転送速度が低下してしまうことになる。
【００１３】
なお、ホログラフィック記録再生において、光情報記録媒体６１にリアサイン領域６３およびリードイン領域６４を設けることは、それ自体を示した文献がなく、公知の従来技術ではない。
【００１４】
本発明は、以上のような問題点を鑑みて、転送速度を高めることができる光情報記録方法、光情報記録媒体および光情報再生方法を提供することを目的とする。また、本発明は、再生時における様々な制御を容易に行うことができる光情報記録方法、光情報記録媒体および光情報再生方法を提供することを他の目的とする。
【課題を解決するための手段】
【００１５】
本発明の光情報記録方法は、干渉縞の記録方向に対して直交する断面において複数のトラックを有し、干渉縞を記録するホログラム記録層と制御情報層とが重畳して設けられた光情報記録媒体に対し、情報を担持した情報光と参照光とを照射して、前記情報光と前記参照光とによって形成された干渉縞を前記ホログラム記録層に記録する光情報記録方法であって、前記トラックの一つを位置決めの基準として、一連の情報を担持した複数の情報光によって形成された複数の干渉縞を前記ホログラム記録層に前記基準としたトラックに沿って記録され、前記複数の干渉縞に関する情報の少なくとも一部を前記制御情報層において、前記基準としたトラックを含み、他の干渉縞の基準となる他のトラックまでの領域に記録されることを特徴とする。
【００１６】
さらに、上記光情報記録方法において、前記複数の干渉縞を前記ホログラム記録層に記録する際に、予め前記基準としたトラックにおける所定の記録領域を確保し、当該記録領域内に、干渉縞の記録に不具合が生じた場合に干渉縞を記録するリアサイン領域を設けることが好ましい。
【００１７】
さらに、上記光情報記録方法において、前記複数の干渉縞に関する情報の少なくとも一部には、記録時に不具合が生じて再度記録位置が振り当てられた干渉縞に関するリアサイン情報が含まれることが好ましい。
【００１８】
さらに、上記光情報記録方法において、前記複数の干渉縞に関する情報の少なくとも一部には、前記一連の情報へのアクセス権に関する認証情報が含まれてもよく、前記複数の干渉縞を再生した回数または前記複数の干渉縞の編集情報が含まれてもよい。
【００１９】
また、本発明の光情報記録媒体は、干渉縞の記録方向に対して直交する断面において複数のトラックを有し、干渉縞を記録するホログラム記録層と、前記ホログラム記録層に重畳して制御情報層とを備え、前記ホログラム記録層には、一連の情報を担持した複数の情報光と参照光とによって形成された複数の干渉縞が、前記トラックの一つを位置決めの基準として当該基準としたトラックに沿って記録されており、前記制御情報層には、前記複数の干渉縞に関する情報の少なくとも一部が、前記基準としたトラックを含み、他の干渉縞の基準となる他のトラックまでの領域に記録されていることを特徴とする。
【００２０】
さらに、上記光情報記録媒体において、前記複数の干渉縞について、干渉縞の記録に不具合が生じた場合に干渉縞を記録するリアサイン領域が前記基準としたトラックに設けられていることが好ましい。
【００２１】
さらに、上記光情報記録媒体において、前記複数の干渉縞に関する情報の少なくとも一部として、記録時に不具合が生じて再度記録位置が振り当てられた干渉縞に関するリアサイン情報が記録されていることが好ましい。
【００２２】
さらに、上記光情報記録媒体において、前記複数の干渉縞に関する情報の少なくとも一部として、前記一連の情報へのアクセス権に関する認証情報が記録されていてもよく、前記複数の干渉縞を再生した回数または前記複数の干渉縞の編集情報が記録されていてもよい。
【００２３】
また、本発明の光情報再生方法は、干渉縞の記録方向に対して直交する断面において複数のトラックを有し、干渉縞を記録するホログラム記録層と、前記ホログラム記録層に重畳して制御情報層とを備え、前記ホログラム記録層には、一連の情報を担持した複数の情報光と参照光とによって形成された複数の干渉縞が、前記トラックの一つを位置決めの基準として当該基準としたトラックに沿って記録され、前記制御情報層には、前記複数の干渉縞に関する情報の少なくとも一部が、前記基準としたトラックを含み、他の干渉縞の基準となる他のトラックまでの領域に記録された記録媒体から情報を再生する光情報再生方法であって、前記制御情報層に記録された前記複数の干渉縞に関する情報を再生し、再生した干渉縞に関する情報に基づいて、前記ホログラム記録層に記録された前記複数の干渉縞の再生処理を制御することを特徴とする。
【００２４】
さらに、上記光情報再生方法において、前記制御情報層に記録された記録時に不具合が生じて再度記録位置が振り当てられた干渉縞に関するリアサイン情報を再生し、前記リアサイン情報に基づいて、再度振り当てられた記録位置を特定し、干渉縞を再生することが好ましい。
【００２５】
さらに、上記光情報再生方法において、前記制御情報層に記録された前記前記一連の情報へのアクセス権に関する認証情報、干渉縞を再生した回数または編集情報を再生し、前記認証情報、回数または編集情報に基づいて、干渉縞の再生処理を制御することが好ましい。
【発明の効果】
【００２６】
本発明の光情報記録方法、光情報記録媒体および光情報再生方法によれば、再生時において、複数の干渉縞を再生するためのサーボを利用して、複数の干渉縞に関する情報の少なくとも一部を再生可能とすることができ、アクセス時間を短縮できる。さらに、再生時に、複数の干渉縞に関する情報の少なくとも一部を再生することにより、再生時における様々な制御を容易に行うことができる。
【００２７】
さらに、複数の干渉縞について、基準としたトラックにリアサイン領域を設けることにより、エラーホログラムが発生しても、同一トラック内のリアサイン領域にリアサインされたホログラムを記録することができるので、リアサイン処理の処理時間を短くでき、記録処理の転送速度を向上させることができる。
【００２８】
また、制御情報層にリアサイン情報が記録されていると、再生時において、エラーホログラムを発見しても、リアサイン情報をすぐに再生することができるので、リアサイン情報にアクセスする時間も短くすることができ、転送速度を向上させることができる。
【００２９】
また、制御情報層に認証情報、干渉縞の再生回数または編集情報が記録されていると、再生時において、これらの情報を基にして、様々な制御を容易に行うことができる。詳細については、以下に述べる実施形態の説明において明らかにする。
【発明を実施するための最良の形態】
【００３０】
以下、本発明の実施の形態を説明する。図１および図２は、本発明の光情報記録媒体１の一実施態様であり、図１（Ａ）に半径方向の概略断面図、（Ｂ）に円周方向の概略断面図を示し、図２（Ａ）に全体の概略平面図、（Ｂ）に一部拡大図を示す。
【００３１】
光情報記録媒体１は、図１に示すように、干渉縞（ホログラム）を記録するホログラム記録層１６と制御情報層１２とが重畳して設けられており、図１においては、さらに基板１１、反射膜１１ａ、第１のギャップ層１３、波長選択反射膜１４、第２のギャップ層１５およびカバー層１７を有している。
【００３２】
さらに、光情報記録媒体１は、図１（Ａ）および図２（Ａ）に示すように、干渉縞の記録方向である円周方向に対して直交する半径方向の断面において、複数のトラックＴ１、Ｔ２、…Ｔｍ−１、Ｔｍ、Ｔｍ＋１…を有している。ディスク状の光情報記録媒体における複数のトラックとしては、図２（Ａ）に示すように、複数の同心円状のトラックであってもよいし、１本の螺旋状のトラックであってもよい。トラックは、図１（Ａ）で示すように、基板１１のランド１８ａとグルーブ１８ｂで構成されていてもよいが、その他の手法で構成されていてもよい。例えば平坦な層において、帯状に反射率を変更してトラックを形成してもよい。
【００３３】
ホログラム記録層１６は、情報光と記録用参照光との干渉縞を記録するものであり、特に好ましくは、干渉縞を記録または再生する光（記録再生用光）には感光し、制御情報を記録または再生するための制御用光およびアドレス情報やクロック信号を読み取るためのサーボ用光には感光しない材料が好ましい。ホログラム記録層１６としては、例えば、フォトポリマー系材料を使用することができる。ホログラム記録層１６の材料として、緑または青色光に感度を有するフォトポリマー系材料を使用した場合であれば、記録再生用光には緑または青色光を使用し、制御用光およびサーボ用光にはそれ以外の波長の光、例えば赤色光を使用すればよい。なお、本発明において、ホログラム記録層１６はフォトポリマー系材料に限定されるものではない。
【００３４】
制御情報層１２は、制御用光によって情報を記録および再生することができ、ホログラム記録層１６に記録された複数の干渉縞に関する情報の少なくとも一部が記録される。制御情報層１２には、さらにアドレス情報や位置決めクロック信号等の情報が記録されていてもよい。
【００３５】
制御情報層１２としては、有機色素層や相変化層等を利用することができる。制御情報層１２が有機色素層の場合は、一度だけ情報を記録することが可能であり、レーザー光によって色素を分解することでピット１９（図１および図２においては模様を付している。）を形成することができる。形成されたピット１９によって反射率または透過率が変化するので、情報を記録および再生することができる。
【００３６】
制御情報層１２が相変化層の場合は、情報の書き換えが可能であり、レーザー光による加熱によって相変化層の結晶構造を変更させて、結晶部分と非結晶部分を形成することでピット１９を形成することができる。結晶部分と非結晶部分の反射率または透過率が違うので、ピット１９によって情報を記録および再生することができる。
【００３７】
制御情報層１２に情報を記録または再生する制御用光としては、アドレス情報や位置決めクロック信号等の情報を再生するサーボ用光を兼用することが好ましい。図１においては、ランド（凸部）１８ａおよびグルーブ（凹部）１８ｂが形成され、アドレス情報や位置決めクロック信号等の情報が凹凸１８ｃ（ピットを含む）によって形成された基板１１および反射膜１１ａ上に、凹凸形状に沿って制御情報層１２が形成されている。そして、ランド（凸部）１８ａやグルーブ（凹部）１８ｂまたは凹凸１８ｃを読み取るためのサーボ用光として、制御情報層１２に情報を記録または再生可能な光を利用し、制御用光とすればよい。
【００３８】
基板１１としては、ポリカーボネイト等のプラスチック基板、ガラス基板、金属基板等を使用することができる。プラスチック基板を使用すると、プレス加工によって表面に凹凸形状を形成することで、ランド１８ａ、グルーブ１８ｂおよび凹凸１８ｃを容易に成型できる。また、ガラス基板は、強度および平滑性が高く、基板の撓みなどによる傾きの影響を少なくすることができる。金属基板は、制御用光およびサーボ用光に対する反射層を兼用することができる。基板１１の形状は、ディスク状であっても、カード状であってもよい。
【００３９】
また、基板１１の厚さとしては、特に限定されるものではないが、記録媒体１全体として、１．２〜２．４ｍｍとなるようにすると、現在使用されているＣＤやＤＶＤと互換性を持たせることが可能となる。
【００４０】
波長選択反射層１４は、記録再生用光を反射し、サーボ用光を透過するものである。図１においては、波長選択反射層１４の下方に制御情報層１２が形成されているので、波長選択反射層１４は制御用光も透過する必要がある。波長選択反射層１４としては、高屈折率物質と低屈折率物質を交互に積層させたダイクロイックミラー層やコレステリック液晶層を用いることができる。波長選択反射層１４における記録再生用光２に対する反射面は、情報を安定して記録、再生できるように、平坦であることが好ましい。
【００４１】
第一のギャップ層１３および第二のギャップ層１５は、樹脂材料、例えばＵＶレジン等の材料をスピンコート等によって塗布したり、ポリカーボネイトシート等の樹脂シートを貼り付けたりして形成される。ギャップ層は、ホログラム記録層１６や制御情報層１２を保護すると共に、ホログラム記録層１６内に生成されるホログラムの大きさや記録再生用光と制御用光またはサーボ用光の焦点距離間の間隔などを調整するためにも有効である。
【００４２】
また、第二のギャップ層１５は、ホログラム記録層１６中に干渉縞が集中する焦点近傍の部分を位置しないようにできるので、干渉縞が集中する焦点近傍の部分によってホログラム記録層１６の感光材料が大量に消費され多重度（同一箇所においてホログラムを多重記録できる量）が減少する現象を緩和することができる。第二のギャップ層１５の厚みとしては、１０〜１００μｍの範囲とすることが好ましい。
【００４３】
保護層１７は、記録媒体１の入射面側の表面に形成されており、記録媒体１を保護している。保護層１７としては、樹脂材料、例えばＵＶレジン等の材料をホログラム記録層１６上にスピンコート等によって塗布したり、ポリカーボネイトシート等の樹脂シートを貼り付けたりして形成される。
【００４４】
本発明の光情報記録媒体は、その一部に既存のＤＶＤ−ＲＡＭ、ＤＶＤ−Ｒ、ＤＶＤ−ＲＷ、ＤＶＤ＋Ｒ、ＤＶＤ＋ＲＷ、ＣＤ−Ｒ、ＣＤ−ＲＷ、ＣＤ＋ＲＷ等（以下「ＤＶＤ−ＲＡＭ等」と呼ぶ）の一部または全部を利用することができる。ＤＶＤ−ＲＡＭ等においては、基板表面に、ランド１８ａおよび一定周期で蛇行したウォブル情報を有するグルーブ１８ｂが成形されており、グルーブ１８ｂのウォブル情報がクロック信号として再生される。ウォブル情報はトラックに沿った断面をみると、周期的な凹凸１８ｃとなっている。そして、ＤＶＤ−ＲＡＭ等の上に波長選択反射層、ギャップ層、ホログラム記録層およびカバー層を設けることで、本発明の光情報記録媒体の各構成を作製することができる。
【００４５】
本発明の光情報記録方法は、光情報記録媒体１のトラックの一つＴｍを位置決めの基準として、一連の情報を担持した複数の情報光によって参照光と干渉させることで形成された複数の干渉縞Ｈ（ｍ，１）〜（ｍ，１１０）をホログラム記録層１６に基準としたトラックＴｍに沿って記録する。なお、干渉縞の符号の括弧内は（トラックの位置、ページデータの数）を示している。
【００４６】
ここで、一連の情報とは、記録する際に、同一トラック上にまとまって記録される情報であり、１つのセクション内のページデータ等である。図３にデータのブロック概念図を示すが、記録する情報３１を情報光が担持可能な容量の複数のページデータＰ１〜Ｐｎに分割し、複数のページデータＰ１〜Ｐｎを所定の記録領域を有するセクションＳ１、Ｓ２単位にまとめる。ここで、セクションＳ１内のページデータＰ１〜Ｐ１１０が一連の情報となり、セクションＳ２内のページデータＰ１１１〜Ｐｎは基本的には別の一連の情報となる。なお、セクションＳ１とセクションＳ２とを同一トラックに記録する場合は、セクションＳ１とセクションＳ２のページデータＰ１〜Ｐｎを合わせて一連の情報とすることも可能である。
【００４７】
非特許文献１においては、１セクションは１２０ページデータの記録領域であり、１セクションで記録媒体を１周する構成であったが、これに限定されるものではない。セクションＳ１，Ｓ２の記録領域を常に一定量に固定すると、データ処理が容易になり、処理時間を短くできる。しかし、１セクションの記録領域は可変であってもよい。例えば、ディスク状の光情報記録媒体１において、内周側ではセクションの記録領域を少なくし、外周側ではセクションの記録領域を多くしてもよい。また、記録する情報に合わせて、１セクションの記録領域を変化させてもよい。例えば、図３の記録する情報３１のページデータＰ１〜Ｐｎに合わせて、１セクションとして、ｎの１．１倍のページデータ分の記録領域を確保し、同一トラック上にまとめて記録することもできる。
【００４８】
さらに、光情報記録媒体にはリアサイン領域を設けることが好ましい。図７に示すように、光情報記録媒体６１の一部の領域をリアサイン領域６３としてもよいが、同一トラック上に所定の記録領域を確保し、干渉縞の記録に不具合が生じた場合に干渉縞を記録するリアサイン領域を設けることがより好ましい。同一トラック上にリアサイン領域が存在すると、エラーホログラム５が発生しても、同一トラック内のリアサイン領域にホログラムＨ（ｍ、５）を記録することができるので、リアサイン処理の処理時間を短くでき、記録処理の転送速度を向上させることができる。リアサイン領域は常に一定量であってもよいし、可変であってもよい。
【００４９】
さらに、セクションＳ１，Ｓ２として所定の記録領域を確保し、セクションＳ１，Ｓ２の記録領域内に、干渉縞の記録に不具合が生じた場合に干渉縞を記録するリアサイン領域４を設けることがより好ましい。この場合、エラーホログラム５が発生しても、同一セクション内のリアサイン領域４を利用してホログラムＨ（ｍ、５）を記録することができるので、記録タイミングの規則性を維持しつつエラーホログラム５のリアサイン処理をすることができる。図１（Ｂ）および図２（Ａ）に示すように、セクション内において、リアサイン領域４の位置を固定してもよいが、エラーホログラムの発生に合わせて自由に配置できるようにすることが好ましい。図１（Ｂ）および図２（Ａ）においては、エラーホログラム５が発生した時に、その他のホログラムを規則通り配置して、その後、リアサイン領域４にホログラムＨ（ｍ、５）を記録する。図４においては、エラーホログラム５が発生した時に、本来次のホログラムＨ（ｍ、６）が記録される筈だった次のホログラム記録位置に、リアサイン領域を配置してホログラムＨ（ｍ、５）を記録し、その後のホログラムについては１ホログラム分照射位置をずらして順次記録する。図４のリアサイン処理によれば、複数のホログラムＨ（ｍ，１）〜（ｍ，１１０）の順序を保持することができるので、記録の順番を入れ替える必要もなく、なおかつ記録タイミングの規則性も維持できるので、より好ましい。
【００５０】
リアサイン領域４は常に一定量であってもよいし、可変であってもよい。例えば、セクション内のページデータの容量に対して、一定の比率でリアサイン領域４を設けてもよい。なお、セクション内にリアサイン領域４を設けた場合であっても、リアサイン領域４を超えるエラーホログラムが発生した場合のために、光情報記録媒体１の一部に、さらに予備のリアサイン領域を設けてもよい。予備のリアサイン領域は、各トラック毎に設けることが好ましい。予備のリアサイン領域の位置についても、固定されていてもよいし、自由に配置できるようにしてもよい。
【００５１】
図１乃至図３においては、１セクションの記録領域として、１２０ページデータ（ＰＤ）分を確保し、そのうち、１１０ページデータ分を一連の情報のページデータを順次記録する領域とし、残りの１０ページデータ分をリアサイン領域４としている。
【００５２】
そして、複数の干渉縞Ｈ（ｍ，１）〜（ｍ，１１０）に関する情報の少なくとも一部を制御情報層１２において、位置決めの基準としたトラックＴｍを含み、他の干渉縞Ｈ（ｍ−１，ｎ）、（ｍ+１，ｎ）の基準となる他のトラックＴｍ−１、Ｔｍ+１までの領域１２ａに記録する。なお、図１においては、トラックＴｍ上の干渉縞を網掛けで示し、図２（Ｂ）においては、トラックＴｍ上の干渉縞を実線で、他のトラックＴｍ−１、Ｔｍ+１上の干渉縞を点線で示している。
【００５３】
また、本発明の光情報再生方法は、上記光情報記録媒体１において、まず、制御情報層１２の領域１２ａに記録された複数の干渉縞に関する情報を再生し、再生した干渉縞に関する情報に基づいて、ホログラム記録層１６に記録された複数の干渉縞Ｈ（ｍ，１）〜（ｍ，１１０）の再生処理を制御する。
【００５４】
このように、制御情報層１２の領域１２ａに複数の干渉縞Ｈ（ｍ，１）〜（ｍ，１１０）に関する情報の少なくとも一部を記録することで、再生時において、複数の干渉縞Ｈ（ｍ，１）〜（ｍ，１１０）を再生するためのサーボを利用して、複数の干渉縞に関する情報の少なくとも一部を再生可能とすることができ、アクセス時間を短縮できる。さらに、再生時に、複数の干渉縞に関する情報の少なくとも一部を再生することにより、再生時における様々な制御を容易に行うことができる。
【００５５】
制御情報層１２の領域１２ａは、複数の干渉縞Ｈ（ｍ，１）〜（ｍ，１１０）へのサーボを利用するので、複数の干渉縞Ｈ（ｍ，１）〜（ｍ，１１０）の位置決めの基準となったトラックＴｍおよびそこから容易にアクセス可能な範囲とする。また、他の干渉縞の位置決めの基準となったトラックについても、そのトラック上の干渉縞に関する情報を制御情報層１２に記録するため、領域１２ａとしては、他の干渉縞Ｈ（ｍ−１，ｎ）、（ｍ+１，ｎ）の基準となる隣接する他のトラックＴｍ−１、Ｔｍ+１までの範囲（図２（Ｂ）で斜線を付した範囲）にすることができる。より好ましくは、位置決めの基準となったトラックＴｍと隣接する他のトラックＴｍ−１、Ｔｍ+１との中間までの範囲１２ｂとすればよい。
【００５６】
なお、図１（Ａ）および図２（Ｂ）において、隣接する他のトラックＴｍ−１、Ｔｍ+１までの間に、ランド１８ａとグルーブ１８ｂによる帯状の凹凸Ｔ’が存在する。しかし、これらの凹凸Ｔ’は、他の干渉縞の位置決めの基準となっていないので、領域１２ａの範囲に影響しない。上述したように、光情報記録媒体１の一部に既存のＤＶＤ−ＲＡＭ等を使用すると、帯状の凹凸Ｔ’が存在することになる。ＤＶＤ−ＲＡＭ等におけるトラックピッチは、０．７４〜１．６μｍであるのに対し、干渉縞をシフト多重させるためには約３μｍ程度干渉縞を離間させる必要があるので、隣接する干渉縞の間に複数のＤＶＤ−ＲＡＭ等のトラックが配置されるのである。
【００５７】
制御情報層１２がランド１８ａ、グルーブ１８ｂおよび凹凸１８ｃを有する場合は、ランド１８ａ、グルーブ１８ｂおよび凹凸１８ｃの全ての位置にデータを記録することができる。もちろん、ランド１８ａかグルーブ１８ｂの何れか一方にのみ記録する構成であってもよい。
【００５８】
領域１２ａに記録される複数の干渉縞Ｈ（ｍ，１）〜（ｍ，１１０）に関する情報としては、干渉縞の記録または再生処理において利用される全ての情報が挙げられる。特に、そのトラックに記録された複数の干渉縞に特有の情報は、領域１２ａに記録することが好ましい。光情報記録媒体１の全ての干渉縞に共通する情報、例えば光情報記録媒体１の仕様に関するシステム情報等であれば、各トラック毎に記録してもよいが、リードイン領域３に記録してもよい。
【００５９】
領域１２ａに記録される複数の干渉縞Ｈ（ｍ，１）〜（ｍ，１１０）に関する情報として、記録時に不具合が生じて再度記録位置が振り当てられた干渉縞に関するリアサイン情報が含まれることが望ましい。リアサイン情報としては、エラーホログラム５に関する情報、再度振り当てられたホログラムの記録データ位置情報等である。
【００６０】
制御情報層１２の領域１２ａにリアサイン情報が記録されていると、再生時において、エラーホログラム５を発見しても、リアサイン情報をすぐに再生することができるので、リアサイン情報にアクセスする時間も短くすることができ、転送速度を向上させることができる。さらに、再生処理の前に、領域１２ａの情報を再生しておき、エラーホログラム５の位置と再度振り当てられたホログラムの記録データ位置情報を取得して、再生動作を制御すれば、円滑に再生処理を行なうことができる。
【００６１】
リアサイン領域４を同一トラック上に設け、リアサインされたホログラムＨ（ｍ、５）を同一トラック上のリアサイン領域に記録しておけば、リアサイン領域４へのアクセス時間も短くすることができるので、好ましい。特に、上に述べたように、同一セクション内にリアサイン領域４を設け、そこにリアサインされたホログラムＨ（ｍ、５）を次のホログラム位置に順次記録していけば、再生データの順序を入れ替える必要もなく、なおかつ再生タイミングの規則性を維持したまま再生できるのでアクセス時間を非常に短縮できることになり、より好ましい。
【００６２】
また、領域１２ａに記録される複数の干渉縞Ｈ（ｍ，１）〜（ｍ，１１０）に関する情報として、一連の情報へのアクセス権に関する認証情報を含んでいてもよい。認証情報としては、ユーザー情報、パスワード、情報の開示レベル、データ再生期間に関する情報、再生地域に関する情報等である。制御情報層１２の領域１２ａに認証情報が記録されていると、再生時において、まず認証情報を再生して、再生した認証情報に基づいて、再生処理を制御することができる。
【００６３】
例えば、認証情報として、ユーザー情報およびパスワードを再生し、再生処理を行なっているユーザーおよび入力されたパスワードと照合し、再生を実行するか中止するかを制御したり、情報の開示レベルを再生し、ユーザーのレベル（例えば、役職や資格等）に応じて、一連の情報の全部を再生するか、一部だけを再生するか、再生を中止するかを制御することができる。さらに、認証情報として、データ再生期間に関する情報や再生地域に関する情報を再生し、再生処理が実行された時期や地域に応じて、一連の情報の再生を実行、制限または中止することもできる。このような制御は、インターネットが普及したことに伴う情報のボーダーレス化および共有化に対する抑制効果を期待することができる。
【００６４】
また、領域１２ａに記録される複数の干渉縞Ｈ（ｍ，１）〜（ｍ，１１０）に関する情報として、干渉縞を再生した回数を含んでいてもよい。干渉縞を再生した回数は、干渉縞の再生時に記録されるものであり、複数の干渉縞として記録された一連の情報に対する関心や興味の高さ、さらには各干渉縞に記録された一連の情報の一部への関心や興味の高さを示す一つの指標となる。制御情報層１２の領域１２ａに干渉縞を再生した回数が記録されていると、例えば、再生時において、干渉縞を再生した回数を再生して、再生回数が一定数以上の干渉縞だけを再生したり、回数が多い順に再生の順番を変更したり、多数の情報を同時に再生する場合に再生する情報の順番や優先順位を制御することができる。
【００６５】
また、領域１２ａに記録される複数の干渉縞Ｈ（ｍ，１）〜（ｍ，１１０）に関する情報として、編集情報を含んでいてもよい。編集情報としては、一連の情報の索引を示すインデックス情報、各干渉縞が一連の情報のどの部分に対応するかを示すデータ構造情報等である。制御情報層１２の領域１２ａに編集情報が記録されていると、例えば、再生時において、編集情報を再生して、情報を検索したり、必要な情報のみを再生することができる。
【００６６】
なお、領域１２ａに記録されなかった複数の干渉縞Ｈ（ｍ，１）〜（ｍ，１１０）に関する情報は、その他の領域、例えばリードイン領域３にホログラムとして記録してもよいし、リードイン領域３の制御情報層に記録してもよい。また、光情報記録媒体１を保護するカートリッジ内にメモリーを設け、メモリー内に記録してもよい。さらに、領域１２ａに他のトラック上の干渉縞に関する情報が記録されていてもよい。例えば、関連する情報やリンク先の情報についての記録データ位置情報、全ての干渉縞に関連するシステム情報等である。
【００６７】
図５は、カード状の光情報記録媒体４１の概略平面図である。カード状の光情報記録媒体４１は、トラックＴ１、Ｔ２、Ｔ３…Ｔｍ（一点鎖線で示す）を有し、複数の干渉縞Ｈ（２，１）〜（２，１１０）がトラックＴ２に沿って記録される。光情報記録媒体４１においては、複数のトラックＴ１、Ｔ２、Ｔ３…Ｔｍは、平行に光情報記録媒体４１の一辺から対向する辺に向かって直線状に延びているので、干渉縞の記録方向（図５の横方向）に直交する断面（図５の縦方向の断面）において、複数のトラックを有している。
【００６８】
カード状の光情報記録媒体４１において、複数の干渉縞Ｈ（２，１）〜（２，１１０）に関する情報が、制御情報層の領域１２ａにおいて、ピット１９として記録される。図５において、制御情報層の領域１２ａは、トラックＴ１からトラックＴ３までである。
【００６９】
さらに、図５において、光情報記録媒体４１には、各トラックにリアサイン領域４２が設けられている。図５では、複数の干渉縞Ｈ（２，１）〜（２，１１０）の４番目および８番目の干渉縞４４，４８（斜線を付している）がエラーホログラムとなっており、それぞれリアサイン領域４２に干渉縞Ｈ（２，４）、（２，８）が記録されている。
【００７０】
カード状の光情報記録媒体４１に対する記録再生処理は、光情報記録媒体４１を固定し、記録再生用の光源のみを干渉縞の記録方向（図５の横方向）に移動させる方法を採用する方が容易である。この方法を採用すると、互いに一部が重畳するように、複数の干渉縞Ｈ（２，１）〜（２，１１０）をシフト多重記録することができる。
【００７１】
光情報記録媒体４１においても、領域１２ａに複数の干渉縞Ｈ（２，１）〜（２，１１０）に関する情報の少なくとも一部を記録することで、再生時において、複数の干渉縞Ｈ（２，１）〜（２，１１０）を再生するためのサーボを利用して、複数の干渉縞に関する情報の少なくとも一部を再生可能とすることができ、アクセス時間を短縮できる。さらに、再生時に、複数の干渉縞Ｈ（２，１）〜（２，１１０）に関する情報を再生することにより、再生時における様々な制御を容易に行うことができる。
【００７２】
なお、本発明は、前述した実施の形態に限定されるものではなく、必要に応じて種々の変更が可能である。例えば、図１においては、制御情報層１２が凹凸形状を有していたが、平坦であってもよいし、制御情報層１２と反射層１１ａとの間にさらに保護層が形成されていてもよい。
【図面の簡単な説明】
【００７３】
【図１】（Ａ）および（Ｂ）は、それぞれ本発明の光情報記録媒体の一実施形態における半径方向および円周方向の概略断面図
【図２】（Ａ）は本発明の光情報記録媒体の一実施形態における概略平面図、（Ｂ）はその一部拡大図
【図３】データのブロック概念図
【図４】リアサイン処理の他の実施形態を説明するための光情報記録媒体の概略平面図
【図５】本発明の光情報記録媒体の他の実施形態における概略平面図
【図６】従来の光情報記録媒体の概略断面図
【図７】（Ａ）および（Ｂ）は、それぞれホログラムの配置を示すための光情報記録媒体の概略平面図
【符号の説明】
【００７４】
１  光情報記録媒体
１１  基板
１１ａ  反射膜
１２  制御情報層
１２ａ  領域
１６  ホログラム記録層
１９  ピット
Ｈ（ｍ、ｎ）  ホログラム
Ｔｍ  トラック
【図１】
2007199227.tif 000003
【図２】
2007199227.tif 000004
【図３】
2007199227.tif 000005
【図４】
2007199227.tif 000006
【図５】
2007199227.tif 000007
【図６】
2007199227.tif 000008
【図７】
2007199227.tif 000009